(57)【要約】【課題】表示部の表示画面への接触操作位置を検出する検出手段を用いて、所定の表示枠で表示されたサムネイル画像を複数まとめて１つの表示枠の内に表示する割付表示を行う際、対象となるサムネイル画像を選択する操作のみで、該サムネイル画像の選択及び位置指定の受付が共に行われ、前記割付表示に係る当該サムネイル画像の位置を決めるための操作を省くことができ、より簡単な操作にて割付表示ができる画像表示装置、画像形成装置、画像表示方法及びコンピュータプログラム、並びに該コンピュータプログラムを記録した記録媒体を提供することにある。【解決手段】表示枠の内の接触操作位置に基づき、該表示枠のサムネイル画像の前記割付表示における位置指定を受け付け、受け付けた位置指定に基づき、前記割付表示を行う。【選択図】図４
2011217081.tif 000002
【特許請求の範囲】
【請求項１】
所定の表示枠で表示されたサムネイル画像が複数表示される表示部と、該表示部の表示画面への接触操作位置を検出する検出手段とを備え、該検出手段の検出結果に基づき、複数のサムネイル画像を１つの表示枠内に縮小表示する画像表示装置において、
サムネイル画像の表示枠内の接触操作位置に基づき、前記縮小表示における各サムネイル画像の位置指定を受け付ける指定受付手段と、
該指定受付手段が受け付けた位置指定に基づき、複数のサムネイル画像を縮小して１つの表示枠内に割付表示する割付表示手段と
を備えることを特徴とする画像表示装置。
【請求項２】
前記割付表示されたサムネイル画像を分離表示する分離表示手段を備えており、
前記指定受付手段は、割付表示に係る表示枠内の接触操作位置に基づき、前記分離表示における各サムネイル画像の配置指定を受け付け、該配置指定に基づき、前記分離表示手段が前記分離表示を行うように構成してあることを特徴とする請求項１に記載の画像表示装置。
【請求項３】
前記割付表示又は分離表示を施すサムネイル画像の数の増減と、該割付表示又は分離表示によって表示される表示枠の数の増減との相関関係を表示する増減表示手段を備えていることを特徴とする請求項２に記載の画像表示装置。
【請求項４】
前記割付表示又は分離表示を施すサムネイル画像の数と、該割付表示又は分離表示によって表示される表示枠の数との関係を記憶する記憶手段を備え、
該記憶手段の記憶内容に基づき、前記増減表示手段が前記相関関係を表示するように構成されてあることを特徴とする請求項３に記載の画像表示装置。
【請求項５】
請求項１から請求項４の何れか一つに記載の画像表示装置と、
該画像表示装置の前記表示部に表示された表示枠のサムネイル画像に係る画像をシート上に形成する画像形成手段と
を備えることを特徴とする画像形成装置。
【請求項６】
所定の表示枠で表示されたサムネイル画像が複数表示される表示部と、該表示部の表示画面への接触操作位置を検出する検出手段とを備える画像表示装置で、該検出手段の検出結果に基づき、複数のサムネイル画像を１つの表示枠内に縮小表示し、又は該縮小表示がされたサムネイル画像を分離表示する画像表示方法において、
サムネイル画像の表示枠内の接触操作位置に基づき、前記縮小表示における各サムネイル画像の位置指定を受け付ける指定受付ステップと、
該指定受付ステップで受け付けた位置指定に基づき、複数のサムネイル画像を縮小して１つの表示枠内に割付表示する割付表示ステップと
を含むことを特徴とする画像表示方法。
【請求項７】
前記指定受付ステップは、割付表示に係る表示枠内の接触操作位置に基づき、前記分離表示における各サムネイル画像の配置指定を受け付け、
前記指定受付ステップで受け付けた配置指定に基づき、前記分離表示を行う分離表示ステップを含むことを特徴とする請求項６に記載の画像表示方法。
【請求項８】
前記割付表示又は分離表示を施すサムネイル画像の数の増減と、該割付表示又は分離表示によって表示される表示枠の数の増減との相関関係を表示する増減表示ステップを含むことを特徴とする請求項６又は請求項７に記載の画像表示方法。
【請求項９】
所定の表示枠で表示されたサムネイル画像が複数表示される表示部と、該表示部の表示画面への接触操作位置を検出する検出手段とを備える画像表示装置のコンピュータに、前記検出手段の検出結果に基づき、複数のサムネイル画像を１つの表示枠内に縮小表示させ、又は該縮小表示がされたサムネイル画像を分離表示させるコンピュータプログラムにおいて、
コンピュータに、サムネイル画像の表示枠内の接触操作位置に基づき、前記縮小表示における各サムネイル画像の位置指定を受付させる指定受付ステップと、
コンピュータに、前記指定受付ステップで受け付けた位置指定に基づき、複数のサムネイル画像を縮小して１つの表示枠内に割付表示させる割付表示ステップと
を実行させることを特徴とするコンピュータプログラム。
【請求項１０】
コンピュータに、前記指定受付ステップで、割付表示に係る表示枠内の接触操作位置に基づき、前記分離表示における各サムネイル画像の配置指定を受付させ、
コンピュータに、前記指定受付ステップで受け付けた配置指定に基づき、前記分離表示を行わせる分離表示ステップを実行させることを特徴とする請求項９に記載のコンピュータプログラム。
【請求項１１】
コンピュータに、前記割付表示又は分離表示を施すサムネイル画像の数の増減と、該割付表示又は分離表示によって表示される表示枠の数の増減との相関関係を表示させる増減表示ステップを実行させることを特徴とする請求項９又は請求項１０に記載のコンピュータプログラム。
【請求項１２】
請求項９から１１の何れか一つに記載のコンピュータプログラムを記録してあることを特徴とするコンピュータでの読み取りが可能な記録媒体。
【発明の詳細な説明】
【技術分野】
【０００１】
本発明は、複数のサムネイル画像を１つの表示枠内にまとめて表示することができる画像表示装置、画像形成装置、画像表示方法及びコンピュータプログラム、並びに該コンピュータプログラムを記録する記録媒体に関する。
【背景技術】
【０００２】
画像読取装置（例えば、スキャナ）、外部記録装置及びネットワーク等を介して画像データを取得し、該画像データに画素を間引く等の処理を施してサムネイル画像を生成して表示部に表示するプレビュー機能を有する画像形成装置が普及している。
【０００３】
例えば、特許文献１では、プレビュー画像が表示された画面を指で操作し、操作開始位置座標と、連続的に移動する軌跡の移動量及び方向とを検出し、この検出結果に応じて、プレビュー画像の変化（例えば、並び替え、合紙挿入、拡大縮小、フォームオーバーレイ、回転、枠消し）の過程及び結果を表示部に表示する画像形成装置が開示されている。
【０００４】
特許文献２では、複数のプレビュー画像を１つのページに集約して表示する集約原稿の表示において、集約枚数、集約原稿に含まれる原稿画像の集約順序、集約原稿に含まれる原稿画像と原稿画像との間の区切り、及び集約原稿の向き等の条件の設定を受け付け、該条件に基づき、選択された原稿のプレビュー画像の集約原稿を表示する画像形成装置が開示されている。
【先行技術文献】
【特許文献】
【０００５】
【特許文献１】特開２００４−２８２４３９号公報
【特許文献２】特開２００７−３０６２３６号公報
【発明の概要】
【発明が解決しようとする課題】
【０００６】
しかしながら、特許文献１の画像形成装置は、複数のサムネイル画像を１つの表示枠内に割付して表示する割付表示（集約）に対しては考慮されておらず、該割付表示を行った画像に基づいて画像形成（印刷）を行った場合に記録用紙の使用量が減少することによる、資源節約効果は期待できない。
【０００７】
また、特許文献２の画像形成装置は、前記集約原稿の表示において、該集約原稿に含まれる原稿画像を選択する操作と、該原稿画像の配置を決める操作とが夫々別に行われる構成であるので、前記集約原稿に含まれる原稿画像が多い場合は、斯かる操作が煩雑であり、時間と手間がかかる。
【０００８】
本発明は、斯かる事情に鑑みてされたものであり、その目的とするところは、表示部の表示画面への接触操作位置を検出する検出手段を用いて、所定の表示枠で表示されたサムネイル画像を複数まとめて１つの表示枠内に割付表示する際、サムネイル画像の表示枠内の接触操作位置に基づき、各サムネイル画像の前記割付表示における位置指定を受け付け、受け付けた位置指定に基づき、前記割付表示を行うことにより、複数のサムネイル画像を１つの表示枠の内に割付表示する場合において、対象となるサムネイル画像を選択する操作のみで、該サムネイル画像の選択及び位置指定の受付が共に行われ、前記割付表示に係る当該サムネイル画像の位置を決めるための操作を省くことができ、より簡単な操作にて割付表示ができる画像表示装置、画像形成装置、画像表示方法及びコンピュータプログラム、並びに該コンピュータプログラムを記録した記録媒体を提供することにある。
【０００９】
また、本発明の他の目的は、割付表示されたサムネイル画像を分離表示する際、割付表示に係る表示枠内の接触操作位置に基づき、前記分離表示における各サムネイル画像の配置指定を受け付け、受け付けた配置指定に基づき、前記分離表示を行うことにより、前記分離表示において、対象となるサムネイル画像の選択及び配置指定の受付が共に行われ、より簡単な操作にて分離表示ができる画像表示装置、画像形成装置、画像表示方法及びコンピュータプログラム、並びに該コンピュータプログラムを記録した記録媒体を提供することにある。
【課題を解決するための手段】
【００１０】
本発明に係る画像表示装置は、所定の表示枠で表示されたサムネイル画像が複数表示される表示部と、該表示部の表示画面への接触操作位置を検出する検出手段とを備え、該検出手段の検出結果に基づき、複数のサムネイル画像を１つの表示枠内に縮小表示する画像表示装置において、サムネイル画像の表示枠内の接触操作位置に基づき、前記縮小表示における各サムネイル画像の位置指定を受け付ける指定受付手段と、該指定受付手段が受け付けた位置指定に基づき、複数のサムネイル画像を縮小して１つの表示枠内に割付表示する割付表示手段とを備えることを特徴とする。
【００１１】
本発明にあっては、複数のサムネイル画像を新たな１つの表示枠の内に縮小して表示させる為、利用者は対象のサムネイル画像の表示枠内を接触操作する。この場合、前記検出手段が接触操作位置を検出し、前記指定受付手段は表示枠内の前記接触操作位置に基づき、新たな表示枠内への前記複数のサムネイル画像の縮小表示（すなわち、割付表示）における、前記新たな表示枠内での前記サムネイル画像の位置指定を受け付ける。例えば、並列された複数のサムネイル画像に対して、利用者が左端にあるサムネイル画像の表示枠内の左下側を接触操作した場合、該サムネイル画像の左下側が新たな表示枠において左上側に位置するように割付表示される。
【００１２】
本発明に係る画像表示装置は、前記割付表示されたサムネイル画像を分離表示する分離表示手段を備えており、前記指定受付手段は、割付表示に係る表示枠内の接触操作位置に基づき、前記分離表示における各サムネイル画像の配置指定を受け付け、該配置指定に基づき、前記分離表示手段が前記分離表示を行うように構成してあることを特徴とする。
【００１３】
本発明にあっては、割付表示に係る表示枠内の接触操作位置に基づき、前記指定受付手段が前記分離表示における各サムネイル画像の配置指定を受け付けた場合、該配置指定に基づき、前記分離表示手段が、前記割付表示されたサムネイル画像を分離表示する。
【００１４】
本発明に係る画像表示装置は、前記割付表示又は分離表示を施すサムネイル画像の数の増減と、該割付表示又は分離表示によって表示される表示枠の数の増減との相関関係を表示する増減表示手段を備えていることを特徴とする。
【００１５】
本発明にあっては、割付表示又は分離表示が行われた場合における、割付表示又は分離表示を施すサムネイル画像の数の増減と、該割付表示又は分離表示によって表示される表示枠の数の増減との相関関係を、前記増減表示手段が表示する。
【００１６】
本発明に係る画像表示装置は、前記割付表示又は分離表示を施すサムネイル画像の数と、該割付表示又は分離表示によって表示される表示枠の数との関係を記憶する記憶手段を備え、該記憶手段の記憶内容に基づき、前記増減表示手段が前記相関関係を表示するように構成されてあることを特徴とする。
【００１７】
本発明にあっては、前記記憶手段は、前記割付表示又は分離表示を施すサムネイル画像の数と、該割付表示又は分離表示によって表示される表示枠の数との関係を記憶しており、前記増減表示手段は前記記憶手段の記憶内容に基づき、前記相関関係を表示部に表示する。
【００１８】
本発明に係る画像形成装置は、前述の発明の何れか一つに記載の画像表示装置と、該画像表示装置の前記表示部に表示された表示枠のサムネイル画像に係る画像をシート上に形成する画像形成手段とを備えることを特徴とする。
【００１９】
本発明にあっては、前記画像表示装置の前記表示部に、サムネイル画像の割付表示又は分離表示が行われた場合、前記画像形成手段が割付表示又は分離表示されたサムネイル画像の配置に応じて、サムネイル画像に対応する画像の形成を行う。
【００２０】
本発明に係る画像表示方法は、所定の表示枠で表示されたサムネイル画像が複数表示される表示部と、該表示部の表示画面への接触操作位置を検出する検出手段とを備える画像表示装置で、該検出手段の検出結果に基づき、複数のサムネイル画像を１つの表示枠内に縮小表示し、又は該縮小表示がされたサムネイル画像を分離表示する画像表示方法において、サムネイル画像の表示枠内の接触操作位置に基づき、前記縮小表示における各サムネイル画像の位置指定を受け付ける指定受付ステップと、該指定受付ステップで受け付けた位置指定に基づき、複数のサムネイル画像を縮小して１つの表示枠内に割付表示する割付表示ステップとを含むことを特徴とする。
【００２１】
本発明に係るコンピュータプログラムは、所定の表示枠で表示されたサムネイル画像が複数表示される表示部と、該表示部の表示画面への接触操作位置を検出する検出手段とを備える画像表示装置のコンピュータに、前記検出手段の検出結果に基づき、複数のサムネイル画像を１つの表示枠内に縮小表示させ、又は該縮小表示がされたサムネイル画像を分離表示させるコンピュータプログラムにおいて、コンピュータに、サムネイル画像の表示枠内の接触操作位置に基づき、前記縮小表示における各サムネイル画像の位置指定を受付させる指定受付ステップと、コンピュータに、前記指定受付ステップで受け付けた位置指定に基づき、複数のサムネイル画像を縮小して１つの表示枠内に割付表示させる割付表示ステップとを実行させることを特徴とする。
【００２２】
本発明にあっては、複数のサムネイル画像を新たな１つの表示枠の内に縮小して表示させる為、利用者は対象のサムネイル画像の表示枠内を接触操作する。この場合、該接触操作の位置（接触操作位置）が検出され、前記表示枠内の前記接触操作位置に基づき、新たな表示枠内への前記複数のサムネイル画像の縮小表示（すなわち、割付表示）における、前記新たな表示枠内での前記サムネイル画像の位置指定を受け付ける。
【００２３】
本発明に係る画像表示方法は、前記指定受付ステップは、割付表示に係る表示枠内の接触操作位置に基づき、前記分離表示における各サムネイル画像の配置指定を受け付け、前記指定受付ステップで受け付けた配置指定に基づき、前記分離表示を行う分離表示ステップを含むことを特徴とする。
【００２４】
本発明に係るコンピュータプログラムは、コンピュータに、前記指定受付ステップで、割付表示に係る表示枠内の接触操作位置に基づき、前記分離表示における各サムネイル画像の配置指定を受付させ、コンピュータに、前記指定受付ステップで受け付けた配置指定に基づき、前記分離表示を行わせる分離表示ステップを実行させることを特徴とする。
【００２５】
本発明にあっては、割付表示に係る表示枠内の接触操作位置に基づき、前記分離表示における各サムネイル画像の配置指定が受け付けられ、受け付けられた配置指定に基づき、前記割付表示が行われたサムネイル画像が分離表示される。
【００２６】
本発明に係る画像表示方法は、前記割付表示又は分離表示を施すサムネイル画像の数の増減と、該割付表示又は分離表示によって表示される表示枠の数の増減との相関関係を表示する増減表示ステップを含むことを特徴とする。
【００２７】
本発明に係るコンピュータプログラムは、コンピュータに、前記割付表示又は分離表示を施すサムネイル画像の数の増減と、該割付表示又は分離表示によって表示される表示枠の数の増減との相関関係を表示させる増減表示ステップを実行させることを特徴とする。
【００２８】
本発明にあっては、割付表示又は分離表示が行われた場合における、割付表示又は分離表示を施すサムネイル画像の数の増減と、該割付表示又は分離表示によって表示される表示枠の数の増減との相関関係が前記表示部に表示される。
【００２９】
本発明に係る記録媒体は、前述の発明のコンピュータプログラムを記録してあることを特徴とする。
【００３０】
本発明にあっては、前記記録媒体に前述のコンピュータプログラムを記録する。コンピュータが前記記録媒体からコンピュータプログラムを読み出して、前述の画像表示装置、画像形成装置、及び画像表示方法がコンピュータにより実現される。
【発明の効果】
【００３１】
本発明によれば、複数のサムネイル画像を１つの表示枠の内に割付表示する場合において、対象となるサムネイル画像を選択する操作のみで、該サムネイル画像の選択及び位置指定の受付が共に行われ、前記割付表示に係る当該サムネイル画像の位置を決めるための操作を省くことができ、より簡単な操作にて割付表示ができる。
【００３２】
本発明によれば、前記分離表示において、対象となるサムネイル画像の選択及び配置指定の受付が共に行われ、より簡単な操作にて分離表示ができる。
【図面の簡単な説明】
【００３３】
【図１】本発明の実施の形態１のデジタル複合機の要部構成を示すブロック図である。
【図２】本発明の実施の形態１のデジタル複合機の画像処理装置及び操作装置の要部構成を示す機能ブロック図である。
【図３】本発明の実施の形態１のデジタル複合機の記憶部が記憶している前記領域分割表を概念的に示す概念図である。
【図４】本発明の実施の形態１のデジタル複合機のサムネイル表示制御部の要部構成を示す機能ブロック図である。
【図５】本発明の実施の形態１のデジタル複合機における割付表示の一例を示す図である。
【図６】本発明の実施の形態１のデジタル複合機における割付表示の他の例を示す図である。
【図７】本発明の実施の形態１のデジタル複合機における割付表示の他の例を示す図である。
【図８】本発明の実施の形態１のデジタル複合機における割付表示の他の例を示す図である。
【図９】本発明の実施の形態１のデジタル複合機において、操作誤りに対する対応を説明する説明図である。
【図１０】本発明の実施の形態１のデジタル複合機における分離表示の一例を示す図である。
【図１１】本発明の実施の形態１のデジタル複合機における分離表示の他の例を示す図である。
【図１２】本発明の実施の形態１のデジタル複合機の増減表示部の作用を説明するための説明図である。
【図１３】本発明の実施の形態１のデジタル複合機の増減関係表記憶部が記憶している増減関係表を概念的に示す概念図である。
【図１４】本発明の実施の形態１のデジタル複合機における割付表示（分離表示）の一例を説明するフローチャートである。
【図１５】本発明の実施の形態１のデジタル複合機における割付表示の一例を示す例示図である。
【図１６】本発明の実施の形態２のデジタル複合機の要部構成を示す機能ブロック図である。
【発明を実施するための形態】
【００３４】
以下、本発明に係る画像表示装置、画像形成装置、画像表示方法、コンピュータプログラム及び記録媒体を、コピー機能、印刷機能等を有するデジタル複合機に適用した場合を例として、図面を用いて具体的に説明する。
【００３５】
（実施の形態１）
本発明の実施の形態１に係るデジタル複合機においては、取得した画像データに基づき、所定の大きさの表示枠にサムネイル画像を表示し、又は複数のサムネイル画像を縮小して１つのサムネイル画像とし、前記表示枠と同じ大きさである１つの表示枠の内に割り付けて表示する割付表示、並びに該割付表示されたサムネイル画像を分離して元の大きさに表示する分離表示が出来るように構成されている。
【００３６】
図１は本発明の実施の形態１のデジタル複合機１の要部構成を示すブロック図である。本発明の実施の形態１のデジタル複合機１は、制御部２と、画像入力装置３と、画像出力装置５（画像形成手段）と、画像処理装置４と、通信装置６と、記憶部９と、操作装置１０とを備えており、これらハードウェアはバスＮによって接続されている。また、操作装置１０は画像表示装置８及び座標格納部７を備えている。
【００３７】
図２は本発明の実施の形態１のデジタル複合機１の画像処理装置４及び操作装置１０の要部構成を示す機能ブロック図である。
【００３８】
制御部２はＣＰＵ、ＲＯＭ及びＲＡＭ（図示せず）を備えている。ＲＯＭには各種の制御プログラム、サムネイル画像を生成するためのプログラム、複数のサムネイル画像を割付表示のためのプログラム、割付表示されたサムネイル画像を分離表示するためのプログラム及びデータ等が予め格納されており、ＲＡＭは、複数のデータを記憶し、記憶順、記憶位置等に関係なく読み出すことが可能である。また、ＲＡＭは、例えば、ＲＯＭから読み出されたプログラム、該プログラムを実行することにより発生するデータ、外部から受信したデータ等を一時的に記憶する。ＲＡＭは、ＣＰＵの読出指示に応じて記憶してある各種データ等を適宜読み出す。
【００３９】
ＣＰＵは、ＲＯＭに予め格納されている制御プログラムをＲＡＭ上にロードして実行することによって前述の各種ハードウェアの制御を行い、デジタル複合機１を本発明の実施の形態１に係る画像表示装置及び画像形成装置として動作させる。
【００４０】
なお、画像入力装置３は、原稿の画像を光学的に読み取る。また、画像入力装置３は、読み取り用の原稿に光を照射する光源、例えばＣＣＤ（Charge Coupled Device）のようなイメージセンサ等を有する。画像入力装置３では、載置台にセットされた原稿からの反射光像を前記イメージセンサに結像させ、ＲＧＢ（R : Red, G : Green, B : Blue）のアナログデータを出力する。画像入力装置３が出力したアナログデータは画像処理装置４に入力される。
【００４１】
画像出力装置５は、画像処理装置４から出力されるＣＭＹＫデータの画像データに基づく画像を記録用紙、ＯＨＰフィルム等のシート上に印刷する。画像出力装置５は、感光体ドラム、該感光体ドラムを所定の電位に帯電させる帯電器、外部から受付けた画像データに応じてレーザ光を発して感光体ドラム上に静電潜像を生成させるレーザ書込装置、感光体ドラム表面に形成された静電潜像にトナーを供給して現像化する現像器、感光体ドラム表面に形成されたトナー像を用紙上に転写する転写器等を備えており、電子写真方式にて利用者が所望する画像をシート上に形成する。
【００４２】
通信装置６は、画像表示装置８に表示するサムネイル画像に係る画像データを外部から受信し、外部に送信するネットワークカード、モデム等を備えており、例えば、前記画像データが添付されたメールを送受信する。
【００４３】
記憶部９は、例えば、不揮発性の半導体メモリであり、画像入力装置３によって読み取られた画像データ、又は通信装置６を介して外部から取得した画像データと、該画像データに基づくサムネイル画像とに番号を付し、各画像データ及びサムネイル画像、並びに番号を対応させて記憶する。
【００４４】
また、記憶部９は、後述する指定受付部８３１が位置検出部８１を介して受け付ける、前記割付表示における位置指定又は分離表示における配置指定を記憶する。なお、指定受付部８３１が位置検出部８１を介して前記位置指定及び配置指定を受け付けるための、前記表示枠の領域分割表を記憶している。
【００４５】
図３は本発明の実施の形態１のデジタル複合機１の記憶部９が記憶している前記領域分割表を概念的に示す概念図である。サムネイル画像が表示される表示枠Ｆの内側及び外側は、夫々所定の面積を有する矩形の単位領域によって分割されており、各単位領域は所定の番号によって特定されている。
【００４６】
例えば、利用者が表示枠Ｆの内の所定位置をタッチ操作した場合、位置検出部８１が該タッチ操作に係る位置を検出し、位置検出部８１による検出結果に基づき、後述する指定受付部８３１が前記領域分割表に照らし、表示枠Ｆの内の左側（Ａ１、Ａ２又はＡ３）がタッチ操作されたか、右側（Ｃ１、Ｃ２又はＣ３）がタッチ操作されたかを検出し、該検出結果に基づき、指定受付部８３１が前記割付表示におけるサムネイル画像の位置指定又は分離表示におけるサムネイル画像の配置指定を受け付ける。
【００４７】
画像処理装置４は、例えば画像入力装置３を通じて入力されるアナログデータを基にデジタル形式の画像データを生成し、又は記憶部９に記憶されている画像データを読み出し、夫々の画像の種類に応じた処理を施した後、出力用画像データを生成する。該出力用画像データは、画像出力装置５又は通信装置６に出力される。また、画像入力装置３、通信装置６又は記憶部９から取得した画像データに基づき、サムネイル画像を生成する。
【００４８】
また、画像処理装置４は、Ａ／Ｄ（アナログ／デジタル）変換部４０と、シェーディング補正部４１と、入力処理部４２と、領域分離処理部４８と、色補正部４４と、黒生成／下色除去部４５と、空間フィルタ部４６と、中間調生成部４７と、表示制御部４９とを備えている。
【００４９】
例えば、画像入力装置３にて読み取られた画像のアナログデータは、画像処理装置４内を、Ａ／Ｄ変換部４０、シェーディング補正部４１、入力処理部４２、領域分離処理部４８、色補正部４４、黒生成／下色除去部４５、空間フィルタ部４６、及び中間調生成部４７の順（矢印方法）で送られ、ＣＭＹＫのデジタルカラーデータとして、画像出力装置５へ出力される。
【００５０】
Ａ／Ｄ変換部４０は、画像入力装置３からのＲＧＢのアナログデータをデジタルデータに変換するものであり、シェーディング補正部４１は、Ａ／Ｄ変換部４０より送られてきたデジタルのＲＧＢデータに対して、画像入力装置３の照明系、結像系、撮像系で生じる各種の歪みを取り除く処理を施す。
【００５１】
入力処理部４２は、シェーディング補正部４１にて各種の歪みが取り除かれたＲＧＢデータ（ＲＧＢの反射率データ）夫々に対してγを補正し、カラーバランスを整えると同時に、濃度データに変換する処理を施す。
【００５２】
表示制御部４９は、画像入力装置３にて読み取られた原稿の画像データに基づくサムネイル画像を生成させ、また操作装置１０（位置検出部８１）を介して受け付けた利用者の選択に係るサムネイル画像に対応する画像データを記憶部９から読み出して、該画像データに基づく画像を生成させ、表示部８２に表示させる。
【００５３】
領域分離処理部４８は、入力処理部４２からのＲＧＢデータより、入力画像データの各画素が文字領域、網点領域、印刷紙写真領域（連続階調領域）等の何れかに分離する。領域分離処理部４８は、分離結果に基づき、画素がどの領域に属しているかを示す領域識別データを、黒生成／下色除去部４５、空間フィルタ部４６、及び中間調生成部４７へと出力する。
【００５４】
色補正部４４では、ＲＧＢデータの補正であるＣＭＹ（Ｃ：シアン・Ｍ：マゼンタ・Ｙ：イエロー）データが生成されると共に、色再現性を高めるために、不要吸収成分を含むＣＭＹ色材の分光特性に基づいた色濁りを取り除く処理を行う。
【００５５】
黒生成／下色除去部４５は、色補正後のＣＭＹの３色データから黒（Ｋ）データを生成する黒生成、元のＣＭＹデータから黒生成で得たＫデータを差し引いて新たなＣＭＹデータを生成する処理を行い、ＣＭＹの３色データがＣＭＹＫの４色データに変換される。
【００５６】
空間フィルタ部４６は、黒生成／下色除去部４５より入力されるＣＭＹＫデータの画像データに対して、領域識別データを基にデジタルフィルタによる空間フィルタ処理を行い、空間周波数特性を補正することによって出力画像のぼやけ及び粒状性劣化を防ぐ。
【００５７】
また、中間調生成部４７は、ＣＭＹＫデータの画像データに対して、領域識別データを基に例えば階調再現処理を施す。該階調再現処理が施されたＣＭＹＫデータの画像データは画像出力装置５に出力される。
【００５８】
また、操作装置１０は、デジタル複写機１における「ファックス」、「複写」、「印刷」、「メール」等の機能を切り替える機能ボタン、テンキー、受け付けた指示を確定するためのエンターキー、画像入力装置３にて読み取った原稿の画像データに基づく画像及び画像表示装置８の表示部８２に表示された画像をシート上に画像形成するための「出力」又は「コピー」キー等を備えている。また、操作装置１０には、前記割付表示を実行させるための「割付表示」キー、及び前記分離表示を実行させるための「分離表示」キーを設けている。
【００５９】
画像表示装置８はデジタル複写機１の状態、ジョブ処理の状況、読み取った画像のサムネイル画像、操作装置１０の操作内容の確認等、利用者に対して報知すべき情報を表示する、例えば液晶ディスプレイからなる表示部８２を備えている。また、画像表示装置８は、表示部８２の表示画面への利用者の指先の接触操作位置を検出する位置検出部８１と、位置検出部８１を介して受け付けた利用者の指示に応じて、表示部８２へのサムネイル画像の表示、割付表示又は分離表示等を制御するサムネイル表示制御部８３とを備えている。
【００６０】
位置検出部８１は、例えばタッチパネルであり、利用者の指先の押圧操作による圧力の変化を検知し、又は静電気による電気信号を検知して、利用者の指先の接触点の表示部８２の画面上の座標を検出し、該座標を特定する信号を発生する。また、位置検出部８１は複数点の認識が可能ないわゆるマルチタッチパネルであり、複数点が指定された場合、各々の点を個別に認識することが可能である。
【００６１】
座標格納部７は、位置検出部８１からの信号に基づき、表示部８２の画面上での利用者の指先の接触点の座標を記憶する。例えば、タッチパネル８１をタッチした場合のタッチ点の座標、利用者がいわゆるスライド操作を行った場合のスライド開始点及び離接点の座標等を記憶する。
【００６２】
図４は本発明の実施の形態１のデジタル複合機１のサムネイル表示制御部８３の要部構成を示す機能ブロック図である。サムネイル表示制御部８３は、指定受付部８３１、割付表示部８３２、分離表示部８３３、増減表示部８３４及び増減関係表記憶部８３５（記憶手段）を備えている。
【００６３】
指定受付部８３１は、位置検出部８１が検出した、表示枠Ｆの内のタッチ操作の位置及び前記領域分割表に基づき、サムネイル画像の前記割付表示における位置指定、並びに前記分離表示における各サムネイル画像の配置指定を受け付ける。
【００６４】
割付表示部８３２は、指定受付部８３１が受け付けたサムネイル画像の割付表示における位置指定に基づき、複数のサムネイル画像を縮小し、１つのサムネイル画像として１つの表示枠Ｆの内に割付表示する。
【００６５】
分離表示部８３３は、指定受付部８３１が受け付けた前記分離表示における各サムネイル画像の配置指定に基づき、割付表示されたサムネイル画像を分離して表示する。
詳しくは、表示部８２には「エコロジー」ソフトキー（図示せず）が設けられており、利用者が該「エコロジー」ソフトキーを操作した場合、デフォルトとして、２つのサムネイル画像を縮小し、１つの表示枠Ｆの内に、一つのサムネイルとして表示する割付表示が行われる。このように割付表示が行われた１つの表示枠Ｆの内の２つのサムネイル画像に対し、分離表示部８３３が指定受付部８３１を介して受け付けた利用者の配置指定に基づき、１ずつ分離して表示する。
【００６６】
以下、本発明の実施の形態１における、指定受付部８３１、割付表示部８３２及び分離表示部８３３の作用について説明する。
【００６７】
指定受付部８３１は、割付表示に際してサムネイル画像の位置指定を受け付ける場合、サムネイル画像のタッチ操作が行われる順序、並びに表示枠Ｆの内におけるタッチ操作の位置に基づき、前記位置指定を受け付ける。以下に、具体的例を挙げて説明する。説明の便宜上、２つのサムネイル画像を縮小して１つのサムネイルとし表示枠Ｆの内に割付表示する（２つの画像を縮小して元の画像と同じサイズで表示する、いわゆる、２ｉｎ１）場合を「２ｉｎ１」表示と言い、３つのサムネイル画像を縮小して１つのサムネイル画像とし表示枠Ｆの内に割付表示する場合を「３ｉｎ１」表示と言い、４つのサムネイル画像を縮小して１つのサムネイル画像とし表示枠Ｆの内に割付表示する場合を「４ｉｎ１」表示と言う。
【００６８】
まず、「２ｉｎ１」表示の例について説明する。図５は本発明の実施の形態１のデジタル複合機１における割付表示の一例を示す図である。画像入力装置３にて読み取られた６枚の原稿の画像データに基づく夫々のサムネイル画像が、所定の大きさの矩形の表示枠Ｆにて番号と共に表示される。
【００６９】
「２ｉｎ１」表示の場合、利用者は「２ｉｎ１」表示の対象となるサムネイル画像を指先にてタッチ又はなぞる操作をすることになる（図５（ａ１）参照）。斯かる際、指定受付部８３１は、最初にタッチ操作されたサムネイル画像を上側にし、かつ、該タッチ操作の位置に係る辺を上方とする旨の位置指定を受け付ける。
【００７０】
すなわち、図５（ａ１）の例において、利用者は「Ｐ１」サムネイル画像の図面視左側をタッチした後、「Ｐ２」サムネイル画像をタッチし、又は「Ｐ２」サムネイル画像までなぞる。指定受付部８３１は、位置検出部８１による検出結果及び前記領域分割表に基づき、「Ｐ１」サムネイル画像を上側にし、かつ、「Ｐ１」サムネイル画像の左側辺を上方とする旨の位置指定を受け付ける。更に、指定受付部８３１は、「Ｐ１」サムネイル画像と同様にして、「Ｐ２」サムネイル画像を下側に配置する旨の位置指定を受け付けたものと認識する。
【００７１】
次いで、割付表示部８３２は、指定受付部８３１が受け付けた位置指定に基づき、「Ｐ１」サムネイル画像の左側辺が上方となるように、「Ｐ１」サムネイル画像を縮小して上側に配置し、「Ｐ２」サムネイル画像を縮小して下側に配置して、１つの表示枠Ｆの内に、２つのサムネイル画像を上下にして１つのサムネイルとし、「２ｉｎ１」表示を行う（図５（ａ２）参照）。従って、利用者は「２ｉｎ１」表示の対象となるサムネイル画像を指先にてタッチする操作のみで、該サムネイル画像の「２ｉｎ１」表示における位置指定を共に行うことになり、割付表示において煩雑な操作を省くことができる。
【００７２】
その他、図５（ｂ１）及び図５（ｂ２）に示すように、利用者が「Ｐ２」サムネイル画像の図面視右側を先にタッチした後、「Ｐ１」サムネイル画像をタッチした場合は、指定受付部８３１は、「Ｐ２」サムネイル画像を上側にし、かつ、「Ｐ２」サムネイル画像の右側辺を上方とする旨の位置指定を受け付ける。更に、指定受付部８３１は、「Ｐ１」サムネイル画像と同様にして、「Ｐ１」サムネイル画像を下側に配置する旨の位置指定を受け付けたものと認識する。
【００７３】
割付表示部８３２は、指定受付部８３１が受け付けた位置指定に基づき、「Ｐ２」サムネイル画像の右側辺が上方となるように、「Ｐ２」サムネイル画像を縮小して上側に配置し、「Ｐ１」サムネイル画像を縮小して下側に配置して、１つの表示枠Ｆの内に１つのサムネイル画像として「２ｉｎ１」表示を行う。
【００７４】
図５（ｃ１）及び図５（ｃ２）に示す例においては、利用者が「Ｐ２」サムネイル画像の図面視左側を先にタッチした後、「Ｐ１」サムネイル画像をタッチした場合は、「Ｐ２」サムネイル画像の左側辺が上方となるように、「Ｐ２」サムネイル画像を縮小して上側に配置し、「Ｐ１」サムネイル画像を縮小して下側に配置して、１つの表示枠Ｆの内に１つのサムネイル画像として「２ｉｎ１」表示を行う。
【００７５】
以下、横向きに印刷された原稿に基づく画像データに係る２つのサムネイル画像を、１つの表示枠Ｆの内に図面視左右に並列して、「２ｉｎ１」表示をする場合について説明する。
【００７６】
利用者は「２ｉｎ１」表示の対象となるサムネイル画像を指先にてタッチ操作する（図５（ｄ１）参照）。斯かる際、指定受付部８３１は、最初にタッチ操作されたサムネイル画像を左側にし、かつ、該タッチ操作の位置に係る辺を上方とする旨の位置指定を受け付ける。
【００７７】
例えば、横向きに印刷された原稿に基づく画像データに係るサムネイル画像が表示されている場合、図５（ｄ１）の例において、利用者は「Ｐ１」サムネイル画像の図面視右側をタッチした後、「Ｐ２」サムネイル画像をタッチしている。指定受付部８３１は、位置検出部８１による検出結果及び前記領域分割表に基づき、「Ｐ１」サムネイル画像を左側にし、かつ、「Ｐ１」サムネイル画像の右側辺を上方とする旨の位置指定を受け付ける。更に、指定受付部８３１は、「Ｐ１」サムネイル画像と同様にして、「Ｐ２」サムネイル画像を右側に並列に配置する旨の位置指定を受け付けたものと認識する。
【００７８】
次いで、割付表示部８３２は、指定受付部８３１が受け付けた位置指定に基づき、「Ｐ１」サムネイル画像の右側辺が上方となるように、「Ｐ１」サムネイル画像を縮小して左側に配置し、「Ｐ２」サムネイル画像を縮小して右側に並列に配置して、１つの表示枠Ｆの内に、２つのサムネイル画像を左右にして１つのサムネイルとし、「２ｉｎ１」表示を行う（図５（ｄ２）参照）。
【００７９】
このあと、例えば、利用者が操作装置１０の前記エンターキーを操作した場合、表示部８２に表示されているように、２つのサムネイル画像に対応する画像が１枚の記録用紙に共に画像形成されて出力される。従って、１枚の記録用紙に１つのサムネイル画像に対応する画像を画像形成する場合に比べ、記録用紙の使用量が大幅に減少することになり、資源節約効果を奏する。
【００８０】
図６は本発明の実施の形態１のデジタル複合機１における割付表示の他の例を示す図である。
【００８１】
例えば、連続する２つのサムネイル画像を「２ｉｎ１」表示する場合でなく、離れている２つのサムネイル画像を上下に「２ｉｎ１」表示する場合においても、上述した手法と同様に、利用者が対象のサムネイル画像を選択すれば良い。
【００８２】
詳しくは、図６（ａ１）及び図６（ａ２）に示すように、利用者が「Ｐ１」サムネイル画像の図面視左側を先にタッチした後、「Ｐ１」サムネイル画像から離れた「Ｐ３」サムネイル画像をタッチした場合は、指定受付部８３１は、「Ｐ１」サムネイル画像を上側にし、かつ、「Ｐ１」サムネイル画像の左側辺を上方とする旨の位置指定を受け付ける。更に、指定受付部８３１は、「Ｐ１」サムネイル画像と同様にして、「Ｐ３」サムネイル画像を下側に配置する旨の位置指定を受け付けたものと認識する。
【００８３】
割付表示部８３２は、指定受付部８３１が受け付けた位置指定に基づき、「Ｐ１」サムネイル画像の左側辺が上方となるように、「Ｐ１」サムネイル画像を縮小して上側に配置し、「Ｐ３」サムネイル画像を縮小して下側に配置して、１つの表示枠Ｆの内に１つのサムネイル画像として「２ｉｎ１」表示を行う。
【００８４】
連続する４つのサムネイル画像を１つの表示枠Ｆの内に「４ｉｎ１」表示する場合について説明する。
利用者は、前記連続する４つのサムネイル画像の上を指先でなぞる操作を行う（図６（ｂ１）参照）。斯かる際、指定受付部８３１は、最初にタッチ操作されたサムネイル画像を左上側にし、かつ、該タッチ操作の位置に係る辺を上方とする旨の位置指定を受け付ける。
【００８５】
すなわち、図６（ｂ１）の例において、利用者は「Ｐ１」サムネイル画像の図面視左上側をタッチした後、「Ｐ２」、「Ｐ３」、「Ｐ４」のサムネイル画像をこの順になぞる。指定受付部８３１は、位置検出部８１による検出結果及び前記領域分割表に基づき、「Ｐ１」サムネイル画像を左上側にし、かつ、「Ｐ１」サムネイル画像の上側辺を上方とする旨の位置指定を受け付ける。更に、指定受付部８３１は、１番目のタッチ操作（「Ｐ１」）のサムネイル画像と同様にして、２番目のタッチ操作のサムネイル画像を右上側に、３番目のタッチ操作のサムネイル画像を左下側に、４番目のタッチ操作のサムネイル画像を右下側に配置する旨の位置指定を受け付けたものと認識する。
【００８６】
次いで、割付表示部８３２は、指定受付部８３１が受け付けた位置指定に基づき、「Ｐ１」サムネイル画像の上側辺が上方となるように、「Ｐ１」サムネイル画像を縮小して左上側に配置し、「Ｐ２」サムネイル画像を縮小して右上側に、「Ｐ３」サムネイル画像を縮小して左下側に、「Ｐ４」サムネイル画像を縮小して右下側に配置して、１つの表示枠Ｆの内に、４つのサムネイル画像を１つのサムネイル画像として、「４ｉｎ１」表示する（図６（ｂ２）参照）。
【００８７】
一方、連続しない４つのサムネイル画像を１つの表示枠Ｆの内に「４ｉｎ１」表示する場合における利用者の操作は、連続する４つのサムネイル画像を「４ｉｎ１」表示する場合の操作と略同様である。例えば、利用者は、「Ｐ１」サムネイル画像の図面視左上側をタッチした後、「Ｐ３」、「Ｐ２」、「Ｐ４」のサムネイル画像をこの順にタッチする（図６（ｃ１）参照）。すなわち、「４ｉｎ１」表示する際に、左上側に配置するサムネイル画像、右上側に配置するサムネイル画像、左下側に配置するサムネイル画像及び右下側に配置するサムネイル画像を夫々順にタッチする。
【００８８】
指定受付部８３１は、位置検出部８１による検出結果及び前記領域分割表に基づき、「Ｐ１」サムネイル画像を左上側にし、かつ、「Ｐ１」サムネイル画像の上側辺を上方とする旨の位置指定を受け付ける。更に、指定受付部８３１は、１番目のタッチ操作（「Ｐ１」）のサムネイル画像と同様にして、２番目のタッチ操作（「Ｐ３」）のサムネイル画像を右上側に、３番目のタッチ操作（「Ｐ２」）のサムネイル画像を左下側に、４番目のタッチ操作（「Ｐ４」）のサムネイル画像を右下側に配置する旨の位置指定を受け付けたものと認識する。
【００８９】
割付表示部８３２は、指定受付部８３１が受け付けた位置指定に基づき、「Ｐ１」サムネイル画像の上側辺が上方となるように、「Ｐ１」サムネイル画像を縮小して左上側に配置し、「Ｐ３」サムネイル画像を縮小して右上側に、「Ｐ２」サムネイル画像を縮小して左下側に、「Ｐ４」サムネイル画像を縮小して右下側に配置して、１つの表示枠Ｆの内に、４つのサムネイル画像を１つのサムネイル画像として、「４ｉｎ１」表示する（図６（ｃ２）参照）。
【００９０】
以下、３つのサムネイル画像を１つの表示枠Ｆの内に「３ｉｎ１」表示する場合について説明する。図７は本発明の実施の形態１のデジタル複合機１における割付表示の他の例を示す図である。
【００９１】
例えば、連続する３つのサムネイル画像を１つの表示枠Ｆの内に「３ｉｎ１」表示する場合、利用者は前記連続する３つのサムネイル画像の上を指先でなぞる操作を行う（図７（ａ１）参照）。３つのサムネイル画像がタッチ操作された場合、指定受付部８３１は、該３つのサムネイル画像を「３ｉｎ１」表示の方式にて表示するか、「４ｉｎ１」表示の方式にて表示するかにつき、利用者から選択を受け付ける受付画面を表示部８２に表示する（図７（ａ２）参照）。
【００９２】
例えば、利用者が前記受付画面のタッチ操作を行い、位置検出部８１の検出結果に基づき、利用者から「３ｉｎ１」表示の方式にて表示する旨の選択を受け付けた場合、指定受付部８３１は最初にタッチ操作されたサムネイル画像（「Ｐ１」）の図面視左上を新たな表示枠の左上側とする旨の位置指定を受け付ける。更に、指定受付部８３１は、１番目のタッチ操作（「Ｐ１」）のサムネイル画像と同様にして、２番目のタッチ操作（「Ｐ２」）のサムネイル画像を中間に、３番目のタッチ操作（「Ｐ３」）のサムネイル画像を右側に配置する旨の位置指定を受け付けたものと認識する。次いで、割付表示部８３２は、指定受付部８３１が受け付けた位置指定に基づき、「Ｐ１」、「Ｐ２」及び「Ｐ３」のサムネイル画像を縮小し、１つの表示枠Ｆの内に１つのサムネイル画像として、「３ｉｎ１」表示する（図７（ｂ）参照）。その後、他のサムネイル画像の表示枠との縦横比を揃えるために、新たな表示枠及び当該サムネイル画像を回転させる（図７（ｃ）参照）。
【００９３】
一方、該受付画面を介して利用者から「４ｉｎ１」表示の方式にて表示する旨の選択を受け付けた場合、指定受付部８３１は最初にタッチ操作されたサムネイル画像（「Ｐ１」）を左上側に配置し、２番目のタッチ操作（「Ｐ２」）のサムネイル画像を右上側に配置し、３番目のタッチ操作（「Ｐ３」）のサムネイル画像を左下側に配置し、右下側を空白とする旨の位置指定を受け付けたものと認識する。次いで、割付表示部８３２は、指定受付部８３１が受け付けた位置指定に基づき、「Ｐ１」、「Ｐ２」及び「Ｐ３」のサムネイル画像を縮小し、１つの表示枠Ｆの内に１つのサムネイル画像として、「４ｉｎ１」表示する（図７（ｄ）参照）。
【００９４】
一方、原稿の大きさが異なることから、画像入力装置３にて読み取られた原稿の画像データに基づく夫々のサムネイル画像が、大きさの異なる表示枠Ｆにて表示される場合が想定される。斯かる場合における割付表示について説明する。
【００９５】
図８は本発明の実施の形態１のデジタル複合機１における割付表示の他の例を示す図である。「Ｐ３」サムネイル画像（表示枠Ｆ）が他のサムネイル画像（表示枠Ｆ）より大きい表示枠Ｆにて表示されている。説明の便宜上、連続する３つのサムネイル画像を選択し、「３ｉｎ１」表示する場合を例として説明する。
【００９６】
利用者は前記連続する３つのサムネイル画像の上を指先でなぞる操作を行う（図８（ａ１）参照）。３つのサムネイル画像がタッチ操作された場合、指定受付部８３１は、該３つのサムネイル画像の大きさが同一であるか否かの判定を行う。該判定は、例えば、画像入力装置３の原稿自働搬送装置に設けてあるセンサ、又は画像入力装置３にて読み取られた原稿の画像データに基づいて行われる。３つのサムネイル画像の大きさが同一でなく、最後のタッチ操作に係るサムネイル画像が一番大きい場合、指定受付部８３１は、一番目のタッチ操作のサムネイル画像を左上側に配置し、２番目のタッチ操作のサムネイル画像を右上側に配置し、３番目のタッチ操作のサムネイル画像を下側に配置する旨の位置指定を受け付けたものと認識する。次いで、割付表示部８３２は、指定受付部８３１が受け付けた位置指定に基づき、「Ｐ１」、「Ｐ２」及び「Ｐ３」のサムネイル画像を縮小し、１つの表示枠Ｆの内に１つのサムネイル画像として、「３ｉｎ１」表示する（図８（ａ２）参照）。
【００９７】
一方、前記３つのサムネイル画像の大きさが同一でなく、最後のタッチ操作に係るサムネイル画像以外のサムネイル画像が一番大きい場合（図８（ｂ１）参照）、指定受付部８３１は、「３ｉｎ１」表示において、各サムネイル画像の大きさを揃えるか、順序を変更するかにつき、利用者から選択を受け付ける受付画面を表示部８２に表示する（図８（ｂ２）参照）。
【００９８】
例えば、利用者が前記受付画面をタッチ操作することにより、位置検出部８１の検出結果に基づき、利用者から各サムネイル画像の大きさを揃える旨の選択を受け付けた場合、指定受付部８３１は、画像入力装置３にて読み取られた原稿の画像データに画素を間引く等の処理を施して３つのサムネイル画像の大きさを揃えるように画像処理装置４に指示する。また、指定受付部８３１は、最初にタッチ操作されたサムネイル画像（「Ｐ１」）を上側にし、かつ、該タッチ操作の位置に係る辺（図面視左側）を上方とする旨の位置指定を受け付ける。更に、指定受付部８３１は、１番目のタッチ操作（「Ｐ１」）のサムネイル画像と同様にして、２番目のタッチ操作（「Ｐ２」）のサムネイル画像を中間に、３番目のタッチ操作（「Ｐ３」）のサムネイル画像を下側に配置する旨の位置指定を受け付けたものと認識する。次いで、割付表示部８３２は、指定受付部８３１が受け付けた位置指定に基づき、「Ｐ１」、「Ｐ２」及び「Ｐ３」のサムネイル画像を縮小し、１つの表示枠Ｆの内に１つのサムネイル画像として、「３ｉｎ１」表示する（図８（ｃ）参照）。
【００９９】
一方、該受付画面を介して利用者から順序を変更する旨の選択を受け付けた場合、指定受付部８３１は一番大きいサムネイル画像（「Ｐ２」）のタッチ操作が最後に行われたものとして認識する。従って、指定受付部８３１、最初にタッチ操作されたサムネイル画像（「Ｐ１」）を左上側に配置し、３番目のタッチ操作（「Ｐ３」）のサムネイル画像を右上側に配置し、最後にタッチ操作されたものと認識された（「Ｐ２」）のサムネイル画像を下側に配置する旨の位置指定を受け付けたものと認識する。次いで、割付表示部８３２は、指定受付部８３１が受け付けた位置指定に基づき、「Ｐ１」、「Ｐ２」及び「Ｐ３」のサムネイル画像を縮小し、１つの表示枠Ｆの内に１つのサムネイル画像として、「３ｉｎ１」表示する（図８（ｄ）参照）。
【０１００】
なお、例えば、利用者が、「２ｉｎ１」表示の対象となるサムネイル画像を選択する際、対象でないサムネイル画像までをタッチする（なぞる）誤操作をおこすことも想定できる。このような場合について説明する。
【０１０１】
図９は本発明の実施の形態１のデジタル複合機１において、操作誤りに対する対応を説明する説明図である。以下、説明の便宜上、利用者が「２ｉｎ１」表示の対象として、「Ｐ１」及び「Ｐ２」のサムネイル画像をなぞって選択する操作の際、操作を誤って「Ｐ３」サムネイル画像までなぞってしまった場合を例として説明する。
【０１０２】
このように、利用者が操作を誤って、「２ｉｎ１」表示の対象でない「Ｐ３」サムネイル画像までをなぞる誤操作をした場合（図９（ａ１）参照）、利用者は前記なぞる誤操作の際の軌跡をたどって、そのまま指先でなぞって戻り（図９（ａ１）中には、黒い実線の矢印にて表示）、「Ｐ２」サムネイル画像の上で指先を離せば良い。斯かる際、指定受付部８３１は、「Ｐ１」サムネイル画像を上側にし、かつ、当該タッチ操作の位置に係る（「Ｐ１」サムネイル画像の左側辺）を上方とする旨の位置指定を受け付ける。更に、指定受付部８３１は、「Ｐ１」サムネイル画像と同様にして、「Ｐ２」サムネイル画像を下側に配置する旨の位置指定を受け付けたものと認識する。次いで、割付表示部８３２は、指定受付部８３１が受け付けた位置指定に基づき、「Ｐ１」及び「Ｐ２」のサムネイル画像を縮小し、１つの表示枠Ｆの内に１つのサムネイル画像として、「２ｉｎ１」表示する（図９（ａ２）参照）。
【０１０３】
以下、指定受付部８３１が受け付けた前記分離表示における各サムネイル画像の配置指定に基づき、割付表示されたサムネイル画像を分離して表示する分離表示部８３３の作用について説明する。
【０１０４】
図１０は本発明の実施の形態１のデジタル複合機１における分離表示の一例を示す図である。
例えば、上述したように、利用者が表示部８２に設けられた前記「エコロジー」ソフトキーを操作することによって、２つのサムネイル画像を縮小して、１つのサムネイル画像として１つの表示枠Ｆの内に表示する「２ｉｎ１」表示が行われる（図１０（ａ）参照）。
【０１０５】
次いで、所定のサムネイル画像の分離表示を希望する利用者は、希望するサムネイル画像が表示されている表示枠Ｆをなぞる操作を行う。該操作は、該表示枠Ｆに表示されている２つのサムネイル画像の境界に沿って、図面視左側から右側に行われるものとする（図１０（ｂ）参照）。
【０１０６】
斯かる際、位置検出部８１による検出結果に基づき、前記なぞる操作が前記領域分割表に照らされて「Ａ２」、「Ｂ２」、「Ｃ２」の順序であることが検出され、指定受付部８３１は、前記なぞる操作に係る表示枠Ｆの２つのサムネイル画像の中、上側のサムネイル画像を前に、下側のサムネイル画像を後に夫々分離して表示する旨の配置指定を受け付ける。なお、指定受付部８３１は前記なぞる操作に係る表示枠Ｆ（番号１）の表示色の濃淡を変えて表示する等、アクティブ状態である旨を表す（図１０（ｃ）参照）。
【０１０７】
次いで、分離表示部８３３は、指定受付部８３１が受け付けた配置指定に基づき、前記番号１の表示枠Ｆから、「Ｐ１」及び「Ｐ２」のサムネイル画像を分離し、夫々１つの表示枠Ｆの内に、割付表示前の大きさで表示すると共に、「Ｐ１」サムネイル画像を前に配置し、「Ｐ２」サムネイル画像を「Ｐ１」の後に配置して表示する（図１０（ｄ）参照）。
【０１０８】
すなわち、前記なぞる操作により、分離表示の対象となるサムネイル画像の選択及び該分離表示における当該サムネイル画像の配置指定の受付が共に行われることとなり、該分離表示における利用者の操作をより簡単にすることが出来る。
【０１０９】
図１１は本発明の実施の形態１のデジタル複合機１における分離表示の他の例を示す図である。
【０１１０】
図１０の例と同様に、利用者が表示部８２に設けられた前記「エコロジー」ソフトキーを操作することによって、２つのサムネイル画像を縮小して、１つの表示枠Ｆの内に１つのサムネイル画像として表示する「２ｉｎ１」表示が行われる（図１１（ａ）参照）。
【０１１１】
次いで、所定のサムネイル画像の分離表示を希望する利用者は、希望するサムネイル画像が表示されている表示枠Ｆの２つのサムネイル画像の境界に沿って、図面視右側から左側になぞる操作を行うものとする（図１１（ｂ）参照）。
【０１１２】
斯かる際、位置検出部８１による検出結果に基づき、指定受付部８３１は、前記なぞる操作に係る表示枠Ｆの２つのサムネイル画像の中、下側のサムネイル画像を前に、上側のサムネイル画像を後に夫々分離して表示する旨の配置指定を受け付ける。なお、指定受付部８３１は前記なぞる操作に係る表示枠Ｆ（番号１）の表示色の濃淡を変えて表示する等、アクティブ状態である旨を表す（図１１（ｃ）参照）。
【０１１３】
次いで、分離表示部８３３は、指定受付部８３１が受け付けた配置指定に基づき、前記番号１の表示枠Ｆから、「Ｐ１」及び「Ｐ２」のサムネイル画像を分離し、夫々１つの表示枠Ｆの内に、割付表示前の大きさで表示すると共に、「Ｐ２」サムネイル画像を前に配置し、「Ｐ１」サムネイル画像を「Ｐ２」の後に配置して表示する（図１１（ｄ）参照）。
【０１１４】
以上の記載においては、１つのサムネイル画像が１つの表示枠Ｆに表示されている場合を例にして割付表示を説明しており、「２ｉｎ１」表示されている表示枠Ｆを例にしてサムネイル画像の分離表示を説明したがこれに限るものでない。例えば、「２ｉｎ１」又は「４ｉｎ１」表示された表示枠Ｆの同士の割付表示、並びに「４ｉｎ１」表示された表示枠Ｆのサムネイル画像を「２ｉｎ１」表示への分離表示においても適用可能であることは言うまでもない。
【０１１５】
増減表示部８３４は、後述する増減関係表記憶部８３５に記憶されている増減関係表に基づき、割付表示又は分離表示を施す対象のサムネイル画像の数の増減と、該割付表示又は分離表示によって表示される表示枠の数の増減との相関関係を、テキストとして表示部８２に表示する。
【０１１６】
以下、増減表示部８３４の作用について詳しく説明する。図１２は本発明の実施の形態１のデジタル複合機１の増減表示部８３４の作用を説明するための説明図である。
【０１１７】
まず、画像入力装置３にて読み取られた５枚の原稿の画像データに基づく夫々のサムネイル画像が、所定の大きさの矩形の表示枠Ｆにて番号と共に表示される（図１２（ａ）参照）。
【０１１８】
例えば、利用者が表示部８２に設けられた前記「エコロジー」ソフトキーを操作することによって、２つのサムネイル画像を縮小して、１つのサムネイル画像として１つの表示枠Ｆの内に表示する「２ｉｎ１」表示が行われる（図１２（ｂ）参照）。この際、表示部８２に表示された表示枠Ｆの数は５から３に減少する。このような状態にて記録用紙に画像形成を行った場合は、図１２（ａ）に例示した場合に比べ、２枚の記録用紙の消費を防ぐことが出来る。
【０１１９】
また、斯かる際、番号３の表示枠Ｆは下側が空白の状態である。すなわち、番号３の表示枠Ｆには１つのサムネイル画像（「Ｐ５」）しか表示されていない。このような場合、「Ｐ５」サムネイル画像を、番号２の表示枠Ｆの内に割り付けて割付表示すれば、換言すれば、番号１又は番号２の表示枠Ｆの中、何れかを「３ｉｎ１」表示すれば、番号３の表示枠Ｆが不要となり、このような状態にて記録用紙に画像形成を行った場合は、更に１枚の記録用紙の消費を防ぐことが出来る（図１２（ｃ）参照）。
【０１２０】
増減表示部８３４は、上述したような旨を表示部８２に表示する。例えば、図１２（ｂ）及び（ｃ）に示す例においては、増減表示部８３４は、５枚の原稿に係る画像が３つの表示枠Ｆにて表示されている旨、及び１つの表示枠Ｆの内に割り付けて割付表示するサムネイル画像の数を１つ増やすことにより、表示される表示枠Ｆの数がさらに１つ減少する旨を、表示部８２にテキストとして表示する。
【０１２１】
また、図１２（ｂ）に示す例において、所定のサムネイル画像（例えば、「Ｐ３」サムネイル画像）を分離して表示したい利用者は、上述したような操作を行い、「Ｐ３」及び「Ｐ４」のサムネイル画像を分離表示し、更に「Ｐ４」及び「Ｐ５」のサムネイル画像を割付表示することによって、「Ｐ３」サムネイル画像のみを分離表示することができる。斯かる場合、表示枠Ｆの数を増やすことなく、「Ｐ３」サムネイル画像のみを分離表示することが出来る（図１２（ｄ）参照）。
【０１２２】
増減表示部８３４は、このような旨を更に表示部８２に表示する。例えば、図１２（ｂ）及び（ｄ）に示す例においては、割付表示された表示枠Ｆから１つのサムネイル画像を分離表示しても全体的には表示枠Ｆが増えない旨を、換言すれば、表示枠Ｆの数を増やさずに分離表示できるサムネイル画像の数は１つである旨を表示部８２にテキストとして表示する。
【０１２３】
すなわち、増減表示部８３４は、上述したように、割付表示又は分離表示を施す対象のサムネイル画像の数の増減と、該割付表示又は分離表示によって表示される表示枠の数の増減との相関関係を表示部８２に表示し、これを視認する利用者に、記録用紙の使用量の減少による資源節約を意識させることができる。
【０１２４】
増減関係表記憶部８３５は、増減表示部８３４による前記相関関係の表示に係る増減関係表を記憶している。該増減関係表には、割付表示を施す対象のサムネイル画像の数と、該割付表示によって表示される表示枠の数との関係が記録されている。さらに、前記増減関係表には、分離表示を施す対象のサムネイル画像の数と、該分離表示によって表示される表示枠の数との関係が記録されている。
【０１２５】
詳しくは、「元のサムネイル画像の数」と、前記「エコロジー」ソフトキーを操作することによって割付表示された状態における、「表示枠Ｆの数を減らすために割付表示することが必要なサムネイル画像の数」と、「表示枠Ｆの数を変わらせず、分離表示することができるサムネイル画像の数」とが関連付けて記憶されている。
【０１２６】
図１３は本発明の実施の形態１のデジタル複合機１の増減関係表記憶部８３５が記憶している増減関係表を概念的に示す概念図である。図１３（ａ）は「２ｉｎ１」表示した場合の増減関係表であり、図１３（ｂ）は「４ｉｎ１」表示した場合の増減関係表である。
【０１２７】
図１３に示すように、元のサムネイル画像の数毎に、「表示枠の数を変わらせず、分離表示することができるサムネイル画像の数」及び「表示枠の数を減らすために割付表示することが必要なサムネイル画像の数」が記録されている。
【０１２８】
図１４は本発明の実施の形態１のデジタル複合機１における割付表示（分離表示）の一例を説明するフローチャートである。説明の便宜上、画像入力装置３にて５枚の原稿を読み取り、読み取られた画像データに基づくサムネイル画像に対して、前記割付表示又は分離表示を行う場合を例として説明する。
【０１２９】
まず、利用者は５枚の原稿を画像入力装置３の原稿台に載置し、操作装置１０の「コピー」キーを操作して前記原稿の読み取りを指示する。制御部２のＣＰＵは操作装置１０を介して読み取りの指示を受け付け、画像入力装置３に指示して前記原稿の読み取りを行う（ステップＳ１０１）。ＣＰＵは、このように画像入力装置３によって取得された前記原稿の画像データを記憶部９に記憶する。
【０１３０】
ＣＰＵは前記５枚の原稿の画像データに基づくサムネイル画像の生成を画像処理装置４に指示する。画像処理装置４によって生成されたサムネイル画像は当該画像データに関連付けられ、記憶部９に記憶される。
【０１３１】
次いで、ＣＰＵは記憶部９に記憶されているサムネイル画像を読み出し、番号を適宜付して表示部８２に表示する（ステップＳ１０２）。この際、１つのサムネイル画像は、１つの表示枠Ｆにて夫々表示される（図１５（ａ）参照）。
【０１３２】
この後、ＣＰＵは、利用者により前記「エコロジー」ソフトキーが操作されたか否かを、位置検出部８１の検出結果に基づいて判定する（ステップＳ１０３）。
【０１３３】
ＣＰＵが、前記「エコロジー」ソフトキーが操作されていないと判定した場合（ステップＳ１０３：ＮＯ）、処理はステップＳ１１０に進み、操作装置１０の「エンター」キーが操作されたか否かを判定する（ステップＳ１１０）。
【０１３４】
ＣＰＵが、「エンター」キーが操作されていないと判定した場合（ステップＳ１１０：ＮＯ）、処理はステップＳ１０３に戻る。また、ＣＰＵが、「エンター」キーが操作されたと判定した場合（ステップＳ１１０：ＹＥＳ）、処理はステップＳ１０９に進み、ＣＰＵは画像出力装置５に指示することにより、表示部８２に表示されたサムネイル画像に対応する画像の形成（出力）を行う（ステップＳ１０９）。
【０１３５】
一方、ステップＳ１０３にて、ＣＰＵが、前記「エコロジー」ソフトキーが操作されたと判定した場合（ステップＳ１０３：ＹＥＳ）、ＣＰＵは割付表示部８３２に、前記５つのサムネイル画像を「２ｉｎ１」表示するように指示し、割付表示部８３２による「２ｉｎ１」表示が行われる（ステップＳ１０４）。これはデフォルトとして「２ｉｎ１」表示が設定されている場合であり、デフォルトとして「３ｉｎ１」表示を設定しても良く、「４ｉｎ１」表示を設定しても良い。
【０１３６】
次いで、増減表示部８３４は、増減関係表記憶部８３５に記憶されている前記増減関係表に基づき、「２ｉｎ１」表示における、割付表示を施す対象のサムネイル画像の数の増減と、該割付表示によって表示される表示枠の数の増減との相関関係、並びに分離表示を施す対象のサムネイル画像の数の増減と、該分離表示によって表示される表示枠の数の増減との相関関係を、テキストとして表示部８２に表示する（ステップＳ１０５）。
【０１３７】
図１５に示す例においては、５つのサムネイル画像を３つの表示枠Ｆにて「２ｉｎ１」表示することとなるので、増減表示部８３４は、５枚の原稿に係る画像が３つの表示枠Ｆにて表示されている旨、１つの表示枠Ｆの内に割り付けて割付表示するサムネイル画像の数を１つ増やすことにより、表示される表示枠Ｆの数がさらに１つ減少する旨、及び表示枠Ｆの数を増やさずに分離表示できるサムネイル画像の数は１つである旨を表示部８２にテキストとして表示している（図１５（ｂ）参照）。増減表示部８３４による前記相関関係の表示に対しては、上述したとおりであり、詳しい説明を省略する。
【０１３８】
次いで、ＣＰＵは、位置検出部８１の検出結果に基づき、操作装置１０の「エンター」キーが操作されたか否かを判定する（ステップＳ１０６）。ＣＰＵが、「エンター」キーが操作されたと判定した場合（ステップＳ１０６：ＹＥＳ）、すなわち、利用者がこのままの画像形成を希望している場合は、処理はステップＳ１０９に進み、表示部８２に表示されている、「２ｉｎ１」表示されたサムネイル画像の配置に応じて、該サムネイル画像に対応する画像の形成が行われる（ステップＳ１０９）。
【０１３９】
一方、ＣＰＵが、「エンター」キーが操作されていないと判定した場合（ステップＳ１０６：ＮＯ）、すなわち、利用者が割付表示（又は分離表示）のための位置（配置）を指定する操作を更に行った場合は、指定受付部８３１が位置検出部８１の検出結果に基づいて位置（配置）指定を受け付ける（ステップＳ１０７）。割付表示（又は分離表示）における位置（配置）指定の受付に対しては、上述したとおりであり、詳しい説明を省略する。
【０１４０】
その後、割付表示部８３２（又は分離表示部８３３）は、指定受付部８３１が受け付けた位置（配置）指定に基づき、割付表示（又は分離表示）を行う（ステップＳ１０８）。割付表示部８３２による割付表示、及び分離表示部８３３による分離表示に対しては、上述したとおりであり、詳しい説明を省略する。
【０１４１】
なお、この際においても、増減表示部８３４が、割付表示又は分離表示を施す対象のサムネイル画像の数の増減と、該割付表示又は分離表示によって表示される表示枠の数の増減との相関関係を、テキストとして表示部８２に表示するように構成しても良い。
【０１４２】
次いで、ＣＰＵが画像出力装置５に指示することにより、表示部８２に表示された割付表示又は分離表示されたサムネイル画像の配置に応じて、サムネイル画像に対応する画像の形成が行われる（ステップＳ１０９）。
【０１４３】
なお、以上の記載においては、前記「エコロジー」ソフトキーが操作されたか否かの判定（ステップＳ１０３）を、サムネイル画像の表示（ステップＳ１０２）後に行う場合を例として説明したが、これに限るものでない。原稿の読み取り（ステップＳ１０１）の前後に前記判定を行い、前記「エコロジー」ソフトキーが操作されたと判定された場合は、前記サムネイル画像の表示の際（ステップＳ１０２）、「２ｉｎ１」表示を行うように構成しても良い。
【０１４４】
また、上述の記載においては、複数のサムネイル画像を新たな１つの表示枠の内に割付表示させる際に、最初にタッチ操作が行われたサムネイル画像の表示枠内のタッチ操作位置によって、該サムネイル画像以外のサムネイル画像の配置も決まる構成である場合を例として説明したがこれに限るものでない。
【０１４５】
例えば、「４ｉｎ１」表示において、利用者によって表示枠の左下側をタッチ操作される該表示枠のサムネイル画像は、新たな表示枠の左下側に配置され、利用者によって表示枠の右上側をタッチ操作される該表示枠のサムネイル画像は、新たな表示枠の右上側に配置されるように構成しても良い。すなわち、各サムネイル画像の表示枠の内の接触操作位置に基づき、新たな表示枠の内の配置をサムネイル画像毎に指定できるように構成しても良い。
【０１４６】
なお、上述の記載においては、割付表示を施す対象のサムネイル画像の数の増減と、該割付表示によって表示される表示枠の数の増減との相関関係、並びに分離表示を施す対象のサムネイル画像の数の増減と、該分離表示によって表示される表示枠の数の増減との相関関係が共に表示部８２に表示される場合を例として説明したが、これに限るものでなく、何れか一方のみが表示されるように構成しても良い。
【０１４７】
（実施の形態２）
図１６は本発明の実施の形態２のデジタル複合機１の要部構成を示す機能ブロック図である。実施の形態２のデジタル複合機１は、動作を行うためのプログラムが、通信ＩＦ１１を介してＣＤ‐ＲＯＭ等の記録媒体の可搬型記録媒体Ａで提供することも可能であるように構成されている。更に、実施の形態２のデジタル複合機１は、前記コンピュータプログラムを、図示しない外部装置から通信ＩＦ１１を介してダウンロードすることも可能であるように構成されている。以下に、その内容を説明する。
【０１４８】
実施の形態２のデジタル複合機１は外装（又は内装）の記録媒体読み取り装置（図示せず）を備えており、該記録媒体読み取り装置に、サムネイル画像の表示枠内の接触操作位置に基づき、縮小表示における各サムネイル画像の位置指定を受付させ、受け付けた位置指定に基づき、複数のサムネイル画像を縮小して１つの表示枠内に割付表示させ、割付表示に係る表示枠内の接触操作位置に基づき、分離表示における各サムネイル画像の配置指定を受付させ、受け付けた配置指定に基づき、前記分離表示を行わせ、割付表示又は分離表示を施すサムネイル画像の数の増減及び該割付表示又は分離表示によって表示される表示枠の数の増減の相関関係を表示させるプログラム等が記録された可搬型記録媒体Ａを挿入して、例えば記憶部９にこのプログラムをインストールする。かかるプログラムはＲＡＭにロードして実行される。これにより、実施の形態２の本発明のデジタル複合機１として機能する。
【０１４９】
前記記録媒体としては、マイクロコンピュータで処理が行われるために図示していないメモリ、例えばＲＯＭのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【０１５０】
いずれの場合においても、格納されているプログラムコードはＣＰＵがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムコードが実行される方式であってもよい。このダウンロード用のプログラムは予め本体装置に格納されているものとする。
【０１５１】
ここで、上記プログラムメディアは、本体と分離可能に構成される記録媒体であり、磁気テープ又はカセットテープ等のテープ系、フレキシブルディスク又はハードディスク等の磁気ディスク又はＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ（Erasable Programmable Read Only Memory）、ＥＥＰＲＯＭ（Electrically  Erasable  Programmable  Read  Only  Memory）、フラッシュＲＯＭ等による半導体メモリを含めた固定的にプログラムコードを担持する媒体であっても良い。
【０１５２】
実施の形態１と同様の部分については、同一の符号を付して詳細な説明を省略する。
【符号の説明】
【０１５３】
１  デジタル複合機
３  画像入力装置
５  画像出力装置（画像形成手段）
９  記憶部
８１  位置検出部（検出手段）
８２  表示部
８３  サムネイル表示制御部
８３１  指定受付部
８３２  割付表示部
８３３  分離表示部
８３４  増減表示部  
８３５  増減関係表記憶部（記憶手段）
【図１】
2011217081.tif 000003
【図２】
2011217081.tif 000004
【図３】
2011217081.tif 000005
【図４】
2011217081.tif 000006
【図５】
2011217081.tif 000007
【図６】
2011217081.tif 000008
【図７】
2011217081.tif 000009
【図８】
2011217081.tif 000010
【図９】
2011217081.tif 000011
【図１０】
2011217081.tif 000012
【図１１】
2011217081.tif 000013
【図１２】
2011217081.tif 000014
【図１３】
2011217081.tif 000015
【図１４】
2011217081.tif 000016
【図１５】
2011217081.tif 000017
【図１６】
2011217081.tif 000018